(57)【要約】【課題】本発明は、カーテンの洗濯時にガイド環体が引紐と共に縺れることを防止でき、洗濯後のカーテンにガイド環体を簡単に取付けることができ、更には、外観体裁を良好に保つことができ、耐久性に優れ、製造容易で安価なガイド環付きテープ等の提供を課題とする。【解決手段】テープ基材に列設したテープ貫通穴に対して、基体と該基体の表面側に一体となるガイド環を備えてなるガイド環体を、射出成形によって形成してなることを特徴とするガイド環付きテープ等を、解決手段とする。【選択図】  図１
2009189450.tif 000002
【特許請求の範囲】
【請求項１】
テープ基材に列設したテープ貫通穴に対して、基体と該基体の表面側に一体となるガイド環とを備えてなるガイド環体を、射出成形によって形成してなり、前記基体には基体貫通穴を形成したことを特徴とするガイド環付きテープ。
【請求項２】
基体貫通穴の内壁面の少なくとも一部に係合段部を形成したことを特徴とする請求項１記載のガイド環付きテープ。
【請求項３】
テープ基材は透明のメッシュ地としたことを特徴とする請求項１又は２記載のガイド環付きテープ。
【請求項４】
請求項１、２又は３記載のガイド環付きテープを、カーテン生地に取着し、ガイド環付きテープのガイド環に、引紐を通した構成を有することを特徴とするカーテン。
【請求項５】
請求項１、２又は３記載のガイド環付きテープにおける基体貫通穴と係合する雄係合子を備えたスナップテープをカーテン生地に取着し、ガイド環付きテープのガイド環に引紐を通したガイド環付きテープの基体貫通穴とスナップテープの雄係合子が着脱可能として設けられてなることを特徴とするカーテン。
【請求項６】
請求項１、２又は３記載のガイド環付きテープにおける基体貫通穴と係合する雄係合子を備えたスナップボタンをカーテン生地に直接取着し、ガイド環付きテープのガイド環に引紐を通したガイド環付きテープの基体貫通穴とスナップボタンの雄係合子が着脱可能として設けられてなることを特徴とするカーテン。
【請求項７】
請求項１、２又は３記載のガイド環付きテープのテープ基材の裏面側をカーテン生地に当接する側として、前記テープ基材をカーテン生地に取着したことを特徴とするガイド環付きテープのカーテン生地に対する取付構造。
【請求項８】
請求項１、２又は３記載のガイド環付きテープと、該ガイド環付きテープの基体貫通穴に係合する雄係合子を有するスナップボタンをカーテン側テープ基材上に列設したスナップテープとを備え、スナップテープをカーテン生地に取着した構成とし、引紐を通したガイド環付きテープの基体貫通穴が、スナップテープの雄係合子と係脱可能となることで、引紐がカーテン生地に対して着脱可能となることを特徴とするガイド環付きテープのカーテン生地に対する取付構造。
【請求項９】
請求項１、２又は３記載のガイド環付きテープと、該ガイド環付きテープの基体貫通穴に係合する雄係合子を有するスナップボタンとを備え、スナップボタンをカーテン生地に取着した構成とし、引紐を通したガイド環付きテープの基体貫通穴が、カーテン生地に取着したスナップボタンの雄係合子と係脱可能となることで、引紐がカーテン生地に対して着脱可能となることを特徴とするガイド環付きテープのカーテン生地に対する取付構造。
【発明の詳細な説明】
【技術分野】
【０００１】
本発明は、カーテンの引紐をガイドするガイド環をテープ基材上に列設してなるガイド環付きテープと、該ガイド環付きテープを備えたカーテン（特には、引紐を備えたローマンシェードタイプのカーテン）と、カーテンにおける開閉手段である引紐をガイドする手段であるガイド環を備えた、ガイド環付きテープのカーテン生地に対する取付構造に関する。
【背景技術】
【０００２】
周知のように、ローマンシェードタイプのカーテンは、引紐を引くことによってカーテンを上方へ持ち上げて開放を行うものであり、引紐を円滑に動かすために、カーテンの側縁部等にガイド環付きのスナップを列設する。このガイド環付きのスナップの取付けを、カーテンに直接行うことも現在行われているが、手間がかかるため、長尺のテープ上に一定間隔でスナップボタンを列設した、所謂スナップテープが用いられる。
【０００３】
上記スナップテープとしては、例えば、テープ本体の一面に所要の間隔を保って環を起伏自在に付設したテープにおいて、前記環はプラスチックの成型品としてこれにテープ本体の環取付部への取付用嵌合体を備え、テープ本体に形成した環取付部はテープ本体に成型により付設した、前記雄嵌合体に対応するプラスチック成形の雌嵌合体とし、両嵌合体には嵌合面に、強制離脱可能の係合機構を備えたことを特徴とするカーテン類引き上げ用補助テープ（例えば、特許文献１参照。）が公知である。
【０００４】
【特許文献１】実開昭６３−２７１８５号公報
【発明の開示】
【発明が解決しようとする課題】
【０００５】
上記特許文献１に係る発明は、合成樹脂製の雌スナップをテープ上に配列し、これと係合する雄スナップに引紐用ガイド環を形成した構成であり、当該構成は現在においても多用されている。特許文献１に係る構成は、雌スナップをテープ上に配列してあり、カーテン生地を洗濯するとき等には、雌スナップと係合してある全ての引紐用ガイド環を、雌スナップから脱着する必要が生じる。
【０００６】
そして、雌スナップから取り外した引紐用ガイド環は、引紐の抜け止めによって引紐から外れることこそないものの、引紐に沿って引紐の最下端まで落下し、複数の引紐用ガイド環が無造作に固まった状態となる。このため、再びカーテン生地に取着された雌スナップに対して引紐用ガイド環の雄係合子を取付けるには、引紐の最下端で固まった引紐用ガイド環を一つずつ引紐の最下端から引上げてから、雌スナップに取付けなければならず、労力を伴うこととなる。
【０００７】
本発明は以上の事情に鑑みてなされたものであり、カーテン生地の洗濯時における引紐とカーテン生地の離脱を容易とし、引紐用ガイド環が引紐と共に縺れることを防止でき、洗濯後のカーテンに引紐用ガイド環を簡単に取付けることができ、更には、外観体裁を良好に保つことができ、耐久性に優れ、製造容易で安価なガイド環付きテープと、該ガイド環付きテープを備えたカーテンと、該ガイド環テープのカーテン生地に対する取付構造の提供を、発明が解決しようとする課題とする。
【課題を解決するための手段】
【０００８】
本発明は、テープ基材に列設したテープ貫通穴に対して、基体と該基体の表面側に一体となるガイド環を備えてなるガイド環体を、射出成形によって形成してなり、前記基体には基体貫通穴を形成したことを特徴とするガイド環付きテープを、課題を解決するための手段とする。
【０００９】
また本発明は、上記ガイド環付きテープの構成において、基体貫通穴の内壁面の少なくとも一部に係合段部を形成したガイド環付きテープを、課題を解決するための手段とする。
【００１０】
また本発明は、上記ガイド環付きテープについて、テープ基材は透明のメッシュ地としたことを特徴とするガイド環付きテープを、課題を解決するための手段とする。
【００１１】
本発明は、上記いずれかのガイド環付きテープを、カーテン生地に取着し、ガイド環付きテープのガイド環に、引紐を通した構成を有することを特徴とするカーテンを、課題を解決するための手段とする。
【００１２】
また本発明は、上記いずれかのガイド環付きテープにおける基体貫通穴と係合する雄係合子を備えたスナップテープをカーテン生地に取着し、ガイド環付きテープのガイド環に引紐を通したガイド環付きテープの基体貫通穴とスナップテープの雄係合子が着脱可能として設けられてなることを特徴とするカーテンを、課題を解決するための手段とする。
【００１３】
本発明は、上記いずれかのガイド環付きテープにおける基体貫通穴と係合する雄係合子を備えたスナップボタンをカーテン生地に直接取着し、ガイド環付きテープのガイド環に引紐を通したガイド環付きテープの基体貫通穴とスナップボタンの雄係合子が着脱可能として設けられてなることを特徴とするカーテンを、課題を解決するための手段とする。
【００１４】
本発明は、上記いずれかのガイド環付きテープのテープ基材の裏面側をカーテン生地に当接する側として、前記テープ基材をカーテン生地に取着したことを特徴とするガイド環付きテープのカーテン生地に対する取付構造を、課題を解決するための手段とする。
【００１５】
本発明は、上記いずれかのガイド環付きテープと、該ガイド環付きテープの基体貫通穴に係合する雄係合子を有するスナップボタンをカーテン側テープ基材上に列設したスナップテープとを備え、スナップテープをカーテン生地に取着した構成とし、引紐を通したガイド環付きテープの基体貫通穴が、スナップテープの雄係合子と係脱可能となることで、引紐がカーテン生地に対して着脱可能となることを特徴とするガイド環付きテープのカーテン生地に対する取付構造を、課題を解決するための手段とする。
【００１６】
本発明は、上記いずれかのガイド環付きテープと、該ガイド環付きテープの基体貫通穴に係合する雄係合子を有するスナップボタンとを備え、スナップボタンをカーテン生地に取着した構成とし、引紐を通したガイド環付きテープの基体貫通穴が、カーテン生地に取着したスナップボタンの雄係合子と係脱可能となることで、引紐がカーテン生地に対して着脱可能となることを特徴とするガイド環付きテープのカーテン生地に対する取付構造を、課題を解決するための手段とする。
【発明の効果】
【００１７】
請求項１に係る発明によれば、テープ基材に列設したテープ貫通穴に対して、基体と該基体の表面側に一体となるガイド環を備えてなるガイド環体を、射出成形によって形成してなり、前記基体には基体貫通穴を形成したことを特徴とするガイド環付きテープとしたことから、非常に容易且つ安価に、基体の表側にガイド環を形成することができる。
【００１８】
また、当該ガイド環付きテープをカーテンに直接取着することで、ガイド環に通した引紐を抜くだけで、簡単にカーテンの洗濯を行うことができる。カーテンの取付の際も、ガイド環体が落下することもなく、ガイド環体に引紐を通すだけでよいので、非常に便利である。
【００１９】
そして、ガイド環の形成にともなって形成される基体貫通穴を、スナップボタンの雌係合穴として機能させることもでき、請求項５、６、８又は９に開示した構成への適用を可能とすることができる。
【００２０】
請求項２に係る発明によれば、上記請求項１に係る発明の構成において、基体貫通穴の内壁面の少なくとも一部に係合段部を形成したことによって、基体貫通穴が雌係合穴として機能する際に、対応する雄係合子との係止部を前記係合段部とすることで、雄係合子の先端がガイド環の紐通し穴内へ突出させることのない構成とすることができ、引紐の挿通を容易とすることができる。また、雄係合子の先端と引紐が擦れることもないため、雄係合子との係合によって引紐の耐久性を低下させることもない。
【００２１】
請求項３に係る発明によれば、上記請求項２の構成に加えて、テープ基材は透明のメッシュ地としたことから、カーテンに取着した状態で、テープ基材を透過してカーテンが視認できるため、テープ基材が非常に目立ちにくくなり、美観を向上させることができる。また、この効果は、カーテンがレース編みのカーテンであることで、更に顕著なものとすることができる。
【００２２】
請求項４及び請求項７に係る発明によれば、上記請求項１、請求項２若しくは請求項３に係る発明であるガイド環付きテープを、カーテン生地に取着し、ガイド環付きテープのガイド環に、引紐を通した構成としたことによって、カーテン生地の洗濯時には、ガイド環に通した引紐を抜くだけで、簡単にカーテンの洗濯を行うことができる。また、洗濯後のカーテン生地の取付けにおいても、従来の引紐の最下端で固まった引紐用ガイド環を一つずつ引紐の最下端から引上げてから、雌スナップに取付けるといった煩雑な作業を行う必要がなく、ガイド環に紐を通すだけで簡単に取付けを行うことができる。
【００２３】
請求項５及び請求項８に係る発明によれば、上記請求項１、請求項２又は請求項３記載のガイド環付きテープにおける基体貫通穴と係合する雄係合子を備えたスナップテープをカーテン生地に取着し、ガイド環付きテープのガイド環に引紐を通したガイド環付きテープの基体貫通穴とスナップテープの雄係合子が着脱可能として設けられた構成によって、カーテン生地を洗濯する際に、スナップテープのテープ基材とガイド環付きテープのテープ基材を指で摘んで引き離すだけで、カーテン生地に取付けられたスナップテープの雄係合子と、ガイド環付きテープの基体貫通穴とを離脱でき、非常に簡単な操作でカーテン生地の取り外しを行うことができる。
【００２４】
また、洗濯後、カーテン生地の取付けを行う際には、当該ガイド環付きテープのガイド環がテープ基材に固着されているため、引紐に沿って引紐の最下端まで落下することがなく、常にガイド環付きテープの状態で保持されていることから、一箇所のカーテンに取付けられたスナップテープの雄係合子とガイド環付きテープの基体貫通穴を係着すると、他の箇所のスナップテープの雄係合子とガイド環付きテープの基体貫通穴が重なる（対応する）位置に位置決めされ、簡単に係着することができる。
【００２５】
請求項６及び請求項９に係る発明によれば、上記請求項１、請求項２又は請求項３記載のガイド環付きテープにおける基体貫通穴と係合する雄係合子を備えたスナップボタンをカーテン生地に直接取着し、ガイド環付きテープのガイド環に引紐を通したガイド環付きテープの基体貫通穴とスナップボタンの雄係合子が着脱可能として設けられた構成によって、カーテン生地を洗濯する際に、カーテン生地とガイド環付きテープのテープ基材を指で摘んで引き離すだけで、カーテンに取付けられたスナップボタンの雄係合子と、ガイド環付きテープの基体貫通穴とを離脱でき、非常に簡単な操作でカーテン生地の取り外しを行うことができる。
【００２６】
また、洗濯後、カーテン生地の取付けを行う際には、当該ガイド環付きテープのガイド環がテープ基材に固着されているため、引紐に沿って引紐の最下端まで落下することがなく、常にガイド環付きテープの状態で保持されていることから、一箇所のカーテンに取付けられたスナップボタンの雄係合子とガイド環付きテープの基体貫通穴を係着すると、他の箇所のスナップボタンの雄係合子とガイド環付きテープの基体貫通穴が重なる（対応する）位置に位置決めされ、簡単に係着することができる。
【発明を実施するための最良の形態】
【００２７】
本発明は、透明のメッシュ地からなるテープ基材に列設したテープ貫通穴に対して、表面及び裏面から射出成形し、基体を形成するに際して、基体の中央に、裏面側から基体を貫通する基体貫通穴を形成し、基体の表側にガイド環を一体に形成してなるガイド環付きテープによって、非常に容易、且つ、安価に製造でき、ガイド環から引紐を抜き取るか、ガイド環付きテープの基体に形成された基体貫通穴に対する雄係合子を有するスナップボタンを利用してカーテン生地の着脱を容易とし、カーテンに取着した状態で非常に目立ちにくくなり、美観を向上させることができ、更には、長期に亘って良好な耐久性を得ることができるガイド環付きテープを実現した。
【００２８】
また、本発明は、上記ガイド環付きテープを、カーテン生地に取着し、ガイド環付きテープのガイド環に、引紐を通した構成を有するカーテンとしたことで、カーテン生地の洗濯時には、ガイド環に通した引紐の下端を解き、引紐を抜くだけで、簡単にカーテンの洗濯を行うことができ、洗濯後のカーテン生地の取付けにおいても、従来の引紐の最下端で固まった引紐用ガイド環を一つずつ引紐の最下端から引上げて雌スナップに取付けるといった煩雑な作業を行う必要がなく、ガイド環に紐を通し下端のガイド環に紐を結びつけるだけで簡単に取付けを行えるカーテンを実現した。
【００２９】
更に、本発明は、上記したガイド環付きテープにおける基体貫通穴と係合する雄係合子を備えたスナップボタンをカーテン生地に取着し、ガイド環付きテープのガイド環に引紐を通したガイド環付きテープの基体貫通穴とスナップボタンの雄係合子が着脱可能として設けられてなるカーテンとしたことで、カーテン生地を洗濯する際に、スナップテープのテープ基材若しくはカーテン生地とガイド環付きテープのテープ基材を指で摘んで引き離すだけで、カーテン生地に取付けられたスナップボタンの雄係合子と、ガイド環付きテープの基体貫通穴とを離脱でき、非常に簡単な操作でカーテン生地の取り外しを行うことができ、洗濯後においては、カーテン生地の取付けを行う際には、当該ガイド環付きテープのガイド環がテープ基材に固着されているため、引紐に沿って引紐の最下端まで落下することがなく、常にガイド環付きテープの状態で保持されていることから、一箇所のカーテンに取付けられたスナップテープの雄係合子とガイド環付きテープの基体貫通穴を係着すると、他の箇所のスナップテープの雄係合子とガイド環付きテープの基体貫通穴が重なる（対応する）位置に位置決めされ、簡単に係着することができる利点を有するカーテンと、ガイド環付きスナップのカーテン生地に対する取付構造を実現した。
【実施例】
【００３０】
図１は本発明の実施例１に係るカーテンにおけるカーテン生地とガイド環付きテープを（１）係着する前の状態を示す斜視図、（２）係着後の状態を示す斜視図、図２は同実施例１に係るガイド環付きテープを示す（１）正面図、（２）背面図、図３は同実施例１に係るガイド環付きテープを示す（１）平面図、（２）右側面図（左側面図は対称につき省略）、図４は図２のＡ−Ａ断面図及びＢ−Ｂ断面図、図５は本発明の実施例１に係るガイド環付きテープにおけるガイド環体を示す（１）拡大正面図、（２）拡大背面図、図６は同実施例１に係るガイド環付きテープにおけるガイド環体を示す（１）拡大平面図、（２）拡大右側面図、図７は図５の（１）Ｃ−Ｃ断面図、（２）Ｄ−Ｄ断面図である。
図８は本発明の実施例２に係るカーテン、及びガイド環付きテープを用いたカーテン生地に対する取付構造を示す（１）係着する前の状態を示す斜視図、（２）係着後の状態を示す斜視図、図９は本発明の実施例２に係るカーテン、及び、ガイド環付きテープのカーテン生地に対する取付構造を有するカーテンの裏面を表した説明図、図１０は同実施例２に係るカーテン、及び、ガイド環付きテープのカーテン生地に対する取付構造を示す一部拡大断面図である。
図１１は実施例２に係るカーテンのガイド環付きテープとスナップテープとを係着した状態を示す（１）正面図、（２）背面図、図１２は同実施例２に係るガイド環付きテープとスナップテープとを係着した状態を示す（１）平面図（底面図は平面図と対称につき省略。）（２）右側面図（左側面図は右側面図と対称につき省略。）、図１３は本発明の実施例２に係るガイド環付きテープとスナップテープとを係着した状態を示す（１）Ｅ−Ｅ断面図、（２）Ｆ−Ｆ断面図、図１４は同実施例２に係るガイド環付きテープを示す（１）正面図、（２）背面図、図１５は同実施例２に係るガイド環付きテープを示す（１）平面図（底面図は平面図と対称につき省略。）、及び（２）右側面図（左側面図は右側面図と対称につき省略。）、図１６は本発明の実施例２に係る図７のガイド環付きテープを示す（１）Ｇ−Ｇ断面図、（２）Ｈ−Ｈ断面図、図１７は本発明の実施例２に係るガイド環付きテープのガイド環体とスナップテープのスナップボタンを係着した状態を示す（１）拡大正面図、（２）拡大背面図、図１８は本発明の実施例２に係るガイド環付きテープのガイド環体とスナップテープのスナップボタンを係着した状態を示す（１）拡大平面図（拡大底面図は拡大平面図と対称につき省略。）（２）拡大右側面図（拡大左側面図は拡大右側面図と対称につき省略。）、図１９は本発明の実施例２に係るガイド環付きテープのガイド環体とスナップテープのスナップボタンを係着した状態を示す図１７の（１）拡大Ｊ−Ｊ断面図、（２）拡大Ｋ−Ｋ断面図である。
図２０は本発明の実施例２に係るスナップテープにおけるスナップボタンを示す（１）拡大正面図、（２）拡大背面図、図２１は同実施例２に係るスナップテープにおけるスナップボタンを示す（１）拡大平面図（拡大底面図は拡大平面図と対称につき省略。）、（２）拡大右側面図（拡大左側面図は拡大右側面図と対称につき省略。）、図２２は同実施例２に係る図１９のスナップテープにおけるスナップボタンを示す（１）拡大Ｌ−Ｌ断面図、（２）拡大Ｍ−Ｍ断面図である。
図２３は本発明の実施例３に係るカーテン、及び、ガイド環付きテープのカーテン生地に対する取付構造であって、ガイド環付きテープとカーテン側のスナップとを（１）係着する前の状態を示す斜視図、（２）係着後の状態を示す斜視図である。
【００３１】
以下、各実施例に係る発明は、いずれも一般的なローマンシェードカーテン３の上下方向に複数のガイド環体１０ａを配置する構成である。ガイド環体１０ａは、基体にガイド環を設けたものである。そして、いずれもガイド環付きテープ１aとその取付構造、及び該取付構造を有するカーテンを特徴とするものである。
尚、下記いずれの実施例においても、列設するガイド環に引紐２を通した開閉方法自体は、公知の手段を用いている。
【００３２】
以下に示す実施例のうち、実施例１は本発明のカーテンにおいて、カーテン生地に直接ガイド環付きテープを取着したものである。また、実施例２は、本発明のカーテン３において、カーテン生地３０に間接的に取着したスナップボタン１０ｂと、ガイド環付きテープ１ａのガイド環体１０ａとを係脱自在とした構成を示すものである。実施例３はカーテン３に直接取着したスナップボタン１０ｂと、ガイド環付きテープ１ａのガイド環体１０ａとを係脱自在とした構成を示すものである。
【００３３】
以下、各実施例について順次説明する。尚、本発明の対称とするカーテンは、引紐を有するカーテンであれば、特にローマンシェードカーテン以外のカーテンであってもよい。また、説明上、符号について、数字の後にａの文字を付記した符号はガイド環付きテープ１ａに関するものとし、数字の後にｂの文字を付した符号はスナップテープ１ｂ若しくはカーテン側に取着されたスナップボタン１０ｂに関するものとしている。
【００３４】
（実施例１）
本発明の実施例１に係るカーテン生地に対するガイド環体１０ａの取付構造、及び実施例１に係るカーテンは、図１乃至図６に示すように、カーテン生地３０に直接ガイド環付きテープ１ａを縫着してなる。
【００３５】
本発明の実施例１に係るガイド環付きテープは、テープ基材１５ａ上にガイド環体１０ａを列説した構成を有する。具体的には、無色透明の耐熱性合成繊維のメッシュシートからなる長尺のテープ基材１５ａに１０ｃｍ間隔で、貫通穴である位置決め穴１５０を形成し、テープ基材１５ａの表裏面における前記位置決め穴の周縁に表裏夫々６本の固定ピンを用いて図示されないスナップ成型用金型を固定し、該スナップ成型用金型内において射出成形を行うことでガイド環体１０ａを形成する。この際に、耐熱性合成繊維で形成されるテープ基材１５ａの細かいメッシュシートの目の中にガイド環体１０ａを形成する溶融した樹脂が入り込み、テープ基材１５ａに対して強固に当該ガイド環体１０ａが固着形成されてなる。
【００３６】
前記ガイド環付きテープ１ａにおけるガイド環体１０ａは、基体１１ａと該基体上に一体に形成されるガイド環１３とからなる。図１乃至図６に示すように、基体１１ａは、幅約１０．５ｍｍ、奥行約９ｍｍ、厚さ２ｍｍ程度の大きさであり、その中央に基体貫通穴１２を備えている。
また、前記基体１１ａの上面に形成されるガイド環１３は、基体貫通穴１２を挟み対向して立設した高さ３．２ｍｍ程度の二本の脚部１３１と、該脚部１３１の上端相互に亘って形成される橋部１３０とからなる。前記基体貫通穴１２の内壁において基体１１ａの下端から１．０５ｍｍの位置には、係合段部１２０を形成してある。係合段部１２０は内壁の全周囲に亘るものではなく、図７（１）（２）に示すように、内壁周囲の一部に形成している。
【００３７】
当該係合段部１２０の構成は、本実施例１で使用するものではなく、後記する実施例２に係るカーテンと共通部品として使用するものである。しかしながら基体貫通穴１２は、本実施例１に係るガイド環１３を形成するために必要な構成であり、基体貫通穴１２が裏面側から金型によって貫通してガイド環１３を形成するため、ガイド環１３の紐通し穴を形成するに足りる大きさを確保し、且つ、当該基体貫通穴１２が雌係合子として機能することを可能とするための構成である。
【００３８】
実施例１においては、ガイド環付きテープ１ａにおけるガイド環体１０ａに引紐２を通し、引紐２の下端が当該ガイド環付きテープ１ａの最下端に位置するガイド環体１０ａに結び付けてある。そして、ガイド環体１０ａのガイド環１３内を連続して通し、カーテン３の上方に配置したガイドローラ４に案内し、昇降ロック機構（図示省略）を介して、最終的に一本に束ねた状態として、他端に引き手５を取付ける構成としている。
【００３９】
そして本実施例１では、射出成形によって非常に容易且つ安価に、基体の表側にガイド環を形成することができ、また最下端のガイド環体１０ａに結び付けられた引紐を解き、ガイド環に通した引紐を抜くだけで、簡単にガイド環付きテープ１ａを備えたカーテンの洗濯を行うことができる。カーテンの取付の際も、ガイド環体が落下することもなく、ガイド環体に引紐を通すだけでよいので、非常に便利である。
【００４０】
（実施例２）
本発明の実施例２に係るカーテン生地に対するガイド環体１０ａの取付構造、及び実施例２に係るカーテンは、図８乃至図１０に示すように、カーテン生地３０に縫着されるカーテン側スナップテープ１ｂと、カーテン生地３０には縫着されず、引紐２を取付ける側となるガイド環付きテープ１ａとを用いた構成である。
【００４１】
スナップテープ１ｂは、図１４乃至図１６に示すように、無色透明の耐熱性繊維のメッシュシートから成る長尺のテープ基材１５ｂに１０ｃｍ間隔で位置決め穴を形成し、該位置決め穴の周縁の表裏面に射出成形を行うことで、雄係合子を有するスナップボタン１０ｂを形成してなる。このため耐熱性合成繊維で形成されるテープ基材１５ｂの細かいメッシュシートの目の中に、スナップボタン１０ｂを形成する溶融した樹脂が入り込み、テープ基材１５ｂに対して強固にスナップボタン１０ｂが固着形成される。
【００４２】
前記雄係合子を有するスナップボタン１０ｂは、図２０乃至図２２に示すように、幅約１０．５ｍｍ、奥行約９ｍｍ、厚さ約３ｍｍのスナップボタン基体１１ｂの中央には、該スナップボタン基体１１ｂの上端からの高さが２ｍｍとなる雄係合子１４を設けてある。雄係合子１４の先端には基端側から先端に至る柱状の基部１４１よりも幅径の大きい拡径頭部１４０を形成してある。拡径頭部１４０の下端位置は、スナップボタン基体１１ｂの上端（雄係合子１４の下端）から１．０５ｍｍとしてある。
【００４３】
ガイド環付きテープ１ａ自体の構成は、該ガイド環付きテープ１ａにおけるガイド環体１０ａに引紐２を通し、引紐２の下端が当該ガイド環付きテープ１ａの最下端に位置するガイド環体１０ａに結び付けてある。そして、ガイド環体１０ａのガイド環１３内を連続して通し、カーテン３の上方に配置したガイドローラ４に案内し、昇降ロック機構（図示省略）を介して、最終的に一本に束ねた状態として、他端に引き手５を取付ける構成としている。
【００４４】
スナップテープ１ｂとガイド環付きテープ１ａの双方の係合子が係着した状態では、カーテン３に引紐２が装着された状態となる。また、スナップテープ１ｂとガイド環付きテープ１ａの双方の係合子が脱着した状態で、スナップテープ１ｂのテープ基材１５ｂが縫着されたカーテン３が、引紐２から取り外された状態となる構成である。
【００４５】
実施例２において用いるガイド環付きテープ１ａは、前記実施例１に係るガイド環付きテープと同一の構成である。従って、ガイド環付きテープ１ａのガイド環体１０ａも同様に実施例１と同様であるから、基体貫通穴１２の内壁において基体１１ａの下端から１．０５ｍｍの位置で、且つ内壁の周囲の一部に、係合段部１２０を形成してある。その他詳細な構成についても実施例１におけるガイド環付きテープ１ａと同一である。
【００４６】
即ち、本実施例２におけるスナップボタン１０ｂの雄係合子１４の高さＨとガイド環体１０ａのスナップボタン基体１１ａの厚さ寸法Ｄ（図１９（１）参照。）を同一とし且つ雄係合子１４が基体貫通穴１２に嵌り込んだ状態で係止する構成である。このため、スナップテープ１ｂのスナップボタン１０ｂとガイド環付きテープ１ａのガイド環体１０ａにおけるスナップボタン基体１１ａとを係合させると、スナップボタン１０ｂの雄係合子１４の上端はガイド環体１０ａのスナップボタン基体１１ａの上端と同一平面上（所謂面一）に配置される。当該構成によってガイド環体１０ａに通した引紐は、雄係合子の干渉を受けず、引紐２に対するガイド環体１０ａの円滑なガイド機能を確保することができる。
【００４７】
以上の構成から、本実施例２に係るカーテンは、洗濯時に引紐を解いて外す必要がなく、専ら、スナップボタン１０ｂの雄係合子１４とガイド環体１０ａの雌係合穴として機能する基体貫通穴１２とを離脱させることによって、スナップテープ１ｂが縫着されたカーテン生地３０をガイド環付きテープ１ａから外すことで行なえる。
【００４８】
また、カーテン生地３０の取付けにおいては、スナップテープ１ｂに列設されるスナップボタン１０ｂの雄係合子１４とガイド環付きテープ１ａに列設されるガイド環体１０ａの基体貫通穴１２とを係着させることで行える。ガイド環体は引紐に沿って落下することもないから、その取付けも非常に容易に行うことができる。
【００４９】
（実施例３）
次に、本実施例３に係るカーテン生地に対するガイド環体１０ａの取付構造、及び実施例３に係るカーテンについて、以下に示す。本実施例３に係るガイド環体１０ａの取付構造は、主要な構成であるガイド環付きテープ１ａについては、実施例１及び実施例２と同一のものである。
【００５０】
本実施例３に係るガイド環体１０ａの取付構造、及び実施例３に係るカーテンは、図２３に示すように、実施例２におけるスナップテープ１ｂを使用せず、これに代えて、カーテンに直接スナップボタン１０ｂを縫着したものである。スナップボタン１０ｂの形状は、実施例２におけるスナップテープ１ｂのスナップボタン１０ｂと同様のものとしている。但し、実施例２のようなテープに対して射出成型によるものでなく、予め公知の手段によって成型されたスナップボタン１０ｂを使用している。
【００５１】
カーテンに直接スナップボタン１０ｂを取付ける構成であるため、製造時にカーテンに対して加工する手間こそあるものの、一端カーテンにスナップボタン１０ｂを取り付けると、実施例２と同様に、カーテンの洗濯時には引紐２をガイド環体１０ａから取り外す必要がなく、洗濯後のカーテンの取付けも非常に簡単に行うことができる利点を有する。
【００５２】
尚、本発明は、上記実施例１乃至実施例３に限定されるものではなく、例えば、本発明に係るガイド環体１０ａのカーテン３に対する取付構造及びこれに用いるスナップテープにおいて、スナップボタン１０ｂ及びガイド環体１０ａの大きさ、細部形状、当該スナップボタン１０ｂ及びガイド環体１０ａの間隔、テープ基材１５ａ、１５ｂの厚さ、幅、長さ等は対象となるカーテンの大きさ、厚さ、柄等の事項に合わせて自由に設定することができる。
【００５３】
また、カーテン生地３０に対してスナップテープ１ｂを取着するに際して、本実施例では縫着により取着したが、縫着に代えて、接着、溶着等により取着することができる。
【００５４】
更に、本発明におけるテープ基材１５ａ、１５ｂは、実施例において無色透明としたが、有色透明とすることができる。色彩は、カーテンの色柄に合わせたものを適宜選択することで、メッシュシートの目から透過するカーテンの色柄と、該カーテンの色彩と同系色の透明のメッシュシートによって、各テープ基材１５ａ、１５ｂを目立たなくさせることができる。
【００５５】
また、基体貫通穴の形状、雄係合子の形状についても上記実施例に限定されるものではなく、例えば、基体貫通穴は係合段部を有さず、拡径頭部を備える雄係合子が基体貫通穴を貫通して、基体貫通穴の表面側縁部分と雄係合子の拡径頭部が係合する構成で、基体貫通穴若しくは雄係合子の弾性変形によって離脱が可能となる構成等とすることもできる。
【図面の簡単な説明】
【００５６】
【図１】本発明の実施例１に係るカーテンにおけるカーテン生地とガイド環付きテープを（１）係着する前の状態を示す斜視図、（２）係着後の状態を示す斜視図である。
【図２】本発明の実施例１に係るガイド環付きテープを示す（１）正面図、（２）背面図である。
【図３】本発明の実施例１に係るガイド環付きテープを示す（１）平面図、（２）右側面図である。
【図４】本発明の実施例１に係るガイド環付きテープを示すＡ−Ａ断面図及びＢ−Ｂ断面図である。
【図５】本発明の実施例１に係るガイド環付きテープにおけるガイド環体を示す（１）拡大正面図、（２）拡大背面図である。
【図６】本発明の実施例１に係るガイド環付きテープにおけるガイド環体を示す（１）拡大平面図、（２）拡大右側面図である。
【図７】本発明の実施例１に係るガイド環付きテープにおけるガイド環体を示す図５の（１）Ｃ−Ｃ断面図、（２）Ｄ−Ｄ断面図である。
【図８】本発明の実施例２に係るカーテン、及びガイド環付きテープを用いたカーテン生地に対する取付構造を示す（１）係着する前の状態を示す斜視図、（２）係着後の状態を示す斜視図である。
【図９】本発明の実施例２に係るカーテン、及び、ガイド環付きテープのカーテン生地に対する取付構造を有するカーテンの裏面を表した説明図である。
【図１０】本発明の実施例２に係るカーテン、及び、ガイド環付きテープのカーテン生地に対する取付構造を示す一部拡大断面図である。
【図１１】本発明の実施例２に係るカーテンのガイド環付きテープとスナップテープとを係着した状態を示す（１）正面図、（２）背面図である。
【図１２】本発明の実施例２に係るガイド環付きテープとスナップテープとを係着した状態を示す（１）平面図（底面図は平面図と対称につき省略。）（２）右側面図（左側面図は右側面図と対称につき省略。）である。
【図１３】本発明の実施例２に係るガイド環付きテープとスナップテープとを係着した状態を示す図１１の（１）Ｅ−Ｅ断面図、（２）Ｆ−Ｆ断面図である。
【図１４】本発明の実施例２に係るガイド環付きテープを示す（１）正面図、（２）背面図である。
【図１５】本発明の実施例２に係るガイド環付きテープを示す（１）平面図（底面図は平面図と対称につき省略。）、及び（２）右側面図（左側面図は右側面図と対称につき省略。）である。
【図１６】本発明の実施例２に係る図７のガイド環付きテープを示す図１４の（１）Ｇ−Ｇ断面図、（２）Ｈ−Ｈ断面図である。
【図１７】本発明の実施例２に係るガイド環付きテープのガイド環体とスナップテープのスナップボタンを係着した状態を示す（１）拡大正面図、（２）拡大背面図である。
【図１８】本発明の実施例２に係るガイド環付きテープのガイド環体とスナップテープのスナップボタンを係着した状態を示す（１）拡大平面図（拡大底面図は拡大平面図と対称につき省略。）（２）拡大右側面図（拡大左側面図は拡大右側面図と対称につき省略。）である。
【図１９】本発明の実施例２に係るガイド環付きテープのガイド環体とスナップテープのスナップボタンを係着した状態を示す図１７の（１）拡大Ｊ−Ｊ断面図、（２）拡大Ｋ−Ｋ断面図である。
【図２０】本発明の実施例２に係るスナップテープにおけるスナップボタンを示す（１）拡大正面図、（２）拡大背面図である。
【図２１】本発明の実施例２に係るスナップテープにおけるスナップボタンを示す（１）拡大平面図（拡大底面図は拡大平面図と対称につき省略。）、（２）拡大右側面図（拡大左側面図は拡大右側面図と対称につき省略。）である。
【図２２】本発明の実施例２に係る図１９のスナップテープにおけるスナップボタンを示す図２０の（１）拡大Ｌ−Ｌ断面図、（２）拡大Ｍ−Ｍ断面図である。
【図２３】本発明の実施例３に係るカーテン、及び、ガイド環付きテープのカーテン生地に対する取付構造であって、ガイド環付きテープとカーテン側のスナップとを（１）係着する前の状態を示す斜視図、（２）係着後の状態を示す斜視図である。
【符号の説明】
【００５７】
１ａ        ガイド環付きテープ
１ｂ        スナップテープ
１０ａ      ガイド環体
１０ｂ      スナップボタン
１１ａ      基体
１１ｂ      スナップボタン基体
１２        基体貫通穴
１２０      係合段部
１３        ガイド環
１３０      橋部
１３１      脚部
１４        雄係合子
１４０      拡径頭部
１４１      基部
１５ａ      テープ基材
１５０      位置決め穴
１５ｂ      テープ基材
２          引紐
３          カーテン
３０        カーテン生地
４          ガイドローラ
５          引き手
Ｄ          高さ（雄係合子の高さ）
Ｈ          厚み（基体の厚み）
【図１】
2009189450.tif 000003
【図２】
2009189450.tif 000004
【図３】
2009189450.tif 000005
【図４】
2009189450.tif 000006
【図５】
2009189450.tif 000007
【図６】
2009189450.tif 000008
【図７】
2009189450.tif 000009
【図８】
2009189450.tif 000010
【図９】
2009189450.tif 000011
【図１０】
2009189450.tif 000012
【図１１】
2009189450.tif 000013
【図１２】
2009189450.tif 000014
【図１３】
2009189450.tif 000015
【図１４】
2009189450.tif 000016
【図１５】
2009189450.tif 000017
【図１６】
2009189450.tif 000018
【図１７】
2009189450.tif 000019
【図１８】
2009189450.tif 000020
【図１９】
2009189450.tif 000021
【図２０】
2009189450.tif 000022
【図２１】
2009189450.tif 000023
【図２２】
2009189450.tif 000024
【図２３】
2009189450.tif 000025
【手続補正書】
【提出日】平成21年1月29日(2009.1.29)
【手続補正１】
【補正対象書類名】明細書
【補正対象項目名】００３０
【補正方法】変更
【補正の内容】
【００３０】
図１は本発明の実施例１に係るカーテンにおけるカーテン生地とガイド環付きテープを（１）係着する前の状態を示す斜視図、（２）係着後の状態を示す斜視図、図２は同実施例１に係るガイド環付きテープを示す（１）正面図、（２）背面図、図３は同実施例１に係るガイド環付きテープを示す（１）平面図、（２）右側面図（左側面図は対称につき省略）、図４は図２のＡ−Ａ断面図及びＢ−Ｂ断面図、図５は本発明の実施例１に係るガイド環付きテープにおけるガイド環体を示す（１）拡大正面図、（２）拡大背面図、図６は同実施例１に係るガイド環付きテープにおけるガイド環体を示す（１）拡大平面図、（２）拡大右側面図、図７は図５（１）における（１）Ｃ−Ｃ断面図、（２）Ｄ−Ｄ断面図である。
図８は本発明の実施例２に係るカーテン、及びガイド環付きテープを用いたカーテン生地に対する取付構造を示す（１）係着する前の状態を示す斜視図、（２）係着後の状態を示す斜視図、図９は本発明の実施例２に係るカーテン、及び、ガイド環付きテープのカーテン生地に対する取付構造を有するカーテンの裏面を表した説明図、図１０は同実施例２に係るカーテン、及び、ガイド環付きテープのカーテン生地に対する取付構造を示す一部拡大断面図である。
図１１は実施例２に係るカーテンのガイド環付きテープとスナップテープとを係着した状態を示す（１）正面図、（２）背面図、図１２は同実施例２に係るガイド環付きテープとスナップテープとを係着した状態を示す（１）平面図（底面図は平面図と対称につき省略。）（２）右側面図（左側面図は右側面図と対称につき省略。）、図１３は本発明の実施例２に係るガイド環付きテープとスナップテープとを係着した状態を示す（１）Ｅ−Ｅ断面図、（２）Ｆ−Ｆ断面図、図１４は同実施例２に係るガイド環付きテープを示す（１）正面図、（２）背面図、図１５は同実施例２に係るガイド環付きテープを示す（１）平面図（底面図は平面図と対称につき省略。）、及び（２）右側面図（左側面図は右側面図と対称につき省略。）、図１６は本発明の実施例２に係る図１４（１）におけるガイド環付きテープを示す（１）Ｇ−Ｇ断面図、（２）Ｈ−Ｈ断面図、図１７は本発明の実施例２に係るガイド環付きテープのガイド環体とスナップテープのスナップボタンを係着した状態を示す（１）拡大正面図、（２）拡大背面図、図１８は本発明の実施例２に係るガイド環付きテープのガイド環体とスナップテープのスナップボタンを係着した状態を示す（１）拡大平面図（拡大底面図は拡大平面図と対称につき省略。）（２）拡大右側面図（拡大左側面図は拡大右側面図と対称につき省略。）、図１９は本発明の実施例２に係るガイド環付きテープのガイド環体とスナップテープのスナップボタンを係着した状態を示す図１７（１）における（１）拡大Ｊ−Ｊ断面図、（２）拡大Ｋ−Ｋ断面図である。
図２０は本発明の実施例２に係るスナップテープにおけるスナップボタンを示す（１）拡大正面図、（２）拡大背面図、図２１は同実施例２に係るスナップテープにおけるスナップボタンを示す（１）拡大平面図（拡大底面図は拡大平面図と対称につき省略。）、（２）拡大右側面図（拡大左側面図は拡大右側面図と対称につき省略。）、図２２は同実施例２に係る図２０（１）におけるスナップテープにおけるスナップボタンを示す（１）拡大Ｌ−Ｌ断面図、（２）拡大Ｍ−Ｍ断面図である。
図２３は本発明の実施例３に係るカーテン、及び、ガイド環付きテープのカーテン生地に対する取付構造であって、ガイド環付きテープとカーテン側のスナップとを（１）係着する前の状態を示す斜視図、（２）係着後の状態を示す斜視図である。
【手続補正２】
【補正対象書類名】明細書
【補正対象項目名】００４６
【補正方法】変更
【補正の内容】
【００４６】
即ち、本実施例２におけるスナップボタン１０ｂの雄係合子１４の高さｈとガイド環体１０ａのスナップボタン基体１１ａの厚さ寸法ｄ（図１９（１）参照。）を同一とし且つ雄係合子１４が基体貫通穴１２に嵌り込んだ状態で係止する構成である。このため、スナップテープ１ｂのスナップボタン１０ｂとガイド環付きテープ１ａのガイド環体１０ａにおけるスナップボタン基体１１ａとを係合させると、スナップボタン１０ｂの雄係合子１４の上端はガイド環体１０ａのスナップボタン基体１１ａの上端と同一平面上（所謂面一）に配置される。当該構成によってガイド環体１０ａに通した引紐は、雄係合子の干渉を受けず、引紐２に対するガイド環体１０ａの円滑なガイド機能を確保することができる。
【手続補正３】
【補正対象書類名】明細書
【補正対象項目名】００５６
【補正方法】変更
【補正の内容】
【００５６】
【図１】本発明の実施例１に係るカーテンにおけるカーテン生地とガイド環付きテープを（１）係着する前の状態を示す斜視図、（２）係着後の状態を示す斜視図である。
【図２】本発明の実施例１に係るガイド環付きテープを示す（１）正面図、（２）背面図である。
【図３】本発明の実施例１に係るガイド環付きテープを示す（１）平面図、（２）右側面図である。
【図４】本発明の実施例１に係るガイド環付きテープを示すＡ−Ａ断面図及びＢ−Ｂ断面図である。
【図５】本発明の実施例１に係るガイド環付きテープにおけるガイド環体を示す（１）拡大正面図、（２）拡大背面図である。
【図６】本発明の実施例１に係るガイド環付きテープにおけるガイド環体を示す（１）拡大平面図、（２）拡大右側面図である。
【図７】本発明の実施例１に係るガイド環付きテープにおけるガイド環体を示す図５（１）における（１）Ｃ−Ｃ断面図、（２）Ｄ−Ｄ断面図である。
【図８】本発明の実施例２に係るカーテン、及びガイド環付きテープを用いたカーテン生地に対する取付構造を示す（１）係着する前の状態を示す斜視図、（２）係着後の状態を示す斜視図である。
【図９】本発明の実施例２に係るカーテン、及び、ガイド環付きテープのカーテン生地に対する取付構造を有するカーテンの裏面を表した説明図である。
【図１０】本発明の実施例２に係るカーテン、及び、ガイド環付きテープのカーテン生地に対する取付構造を示す一部拡大断面図である。
【図１１】本発明の実施例２に係るカーテンのガイド環付きテープとスナップテープとを係着した状態を示す（１）正面図、（２）背面図である。
【図１２】本発明の実施例２に係るガイド環付きテープとスナップテープとを係着した状態を示す（１）平面図（底面図は平面図と対称につき省略。）（２）右側面図（左側面図は右側面図と対称につき省略。）である。
【図１３】本発明の実施例２に係るガイド環付きテープとスナップテープとを係着した状態を示す図１１の（１）Ｅ−Ｅ断面図、（２）Ｆ−Ｆ断面図である。
【図１４】本発明の実施例２に係るガイド環付きテープを示す（１）正面図、（２）背面図である。
【図１５】本発明の実施例２に係るガイド環付きテープを示す（１）平面図（底面図は平面図と対称につき省略。）、及び（２）右側面図（左側面図は右側面図と対称につき省略。）である。
【図１６】本発明の実施例２に係るガイド環付きテープを示す図１４（１）における（１）Ｇ−Ｇ断面図、（２）Ｈ−Ｈ断面図である。
【図１７】本発明の実施例２に係るガイド環付きテープのガイド環体とスナップテープのスナップボタンを係着した状態を示す（１）拡大正面図、（２）拡大背面図である。
【図１８】本発明の実施例２に係るガイド環付きテープのガイド環体とスナップテープのスナップボタンを係着した状態を示す（１）拡大平面図（拡大底面図は拡大平面図と対称につき省略。）（２）拡大右側面図（拡大左側面図は拡大右側面図と対称につき省略。）である。
【図１９】本発明の実施例２に係るガイド環付きテープのガイド環体とスナップテープのスナップボタンを係着した状態を示す図１７（１）における（１）拡大Ｊ−Ｊ断面図、（２）拡大Ｋ−Ｋ断面図である。
【図２０】本発明の実施例２に係るスナップテープにおけるスナップボタンを示す（１）拡大正面図、（２）拡大背面図である。
【図２１】本発明の実施例２に係るスナップテープにおけるスナップボタンを示す（１）拡大平面図（拡大底面図は拡大平面図と対称につき省略。）、（２）拡大右側面図（拡大左側面図は拡大右側面図と対称につき省略。）である。
【図２２】本発明の実施例２に係るスナップボタンを示す図２０（１）における（１）拡大Ｌ−Ｌ断面図、（２）拡大Ｍ−Ｍ断面図である。
【図２３】本発明の実施例３に係るカーテン、及び、ガイド環付きテープのカーテン生地に対する取付構造であって、ガイド環付きテープとカーテン側のスナップとを（１）係着する前の状態を示す斜視図、（２）係着後の状態を示す斜視図である。
【手続補正４】
【補正対象書類名】明細書
【補正対象項目名】００５７
【補正方法】変更
【補正の内容】
【００５７】
１ａ        ガイド環付きテープ
１ｂ        スナップテープ
１０ａ      ガイド環体
１０ｂ      スナップボタン
１１ａ      基体
１１ｂ      スナップボタン基体
１２        基体貫通穴
１２０      係合段部
１３        ガイド環
１３０      橋部
１３１      脚部
１４        雄係合子
１４０      拡径頭部
１４１      基部
１５ａ      テープ基材
１５０      位置決め穴
１５ｂ      テープ基材
２          引紐
３          カーテン
３０        カーテン生地
４          ガイドローラ
５          引き手
ｄ          高さ（雄係合子の高さ）
ｈ 厚さ寸法（基体の厚み）
【手続補正５】
【補正対象書類名】図面
【補正対象項目名】図１
【補正方法】変更
【補正の内容】
【図１】
2009189450.tif 000026
【手続補正６】
【補正対象書類名】図面
【補正対象項目名】図６
【補正方法】変更
【補正の内容】
【図６】
2009189450.tif 000027
【手続補正７】
【補正対象書類名】図面
【補正対象項目名】図７
【補正方法】変更
【補正の内容】
【図７】
2009189450.tif 000028
【手続補正８】
【補正対象書類名】図面
【補正対象項目名】図１０
【補正方法】変更
【補正の内容】
【図１０】
2009189450.tif 000029
【手続補正９】
【補正対象書類名】図面
【補正対象項目名】図１３
【補正方法】変更
【補正の内容】
【図１３】
2009189450.tif 000030
【手続補正１０】
【補正対象書類名】図面
【補正対象項目名】図１６
【補正方法】変更
【補正の内容】
【図１６】
2009189450.tif 000031
【手続補正１１】
【補正対象書類名】図面
【補正対象項目名】図１９
【補正方法】変更
【補正の内容】
【図１９】
2009189450.tif 000032
【手続補正１２】
【補正対象書類名】図面
【補正対象項目名】図２１
【補正方法】変更
【補正の内容】
【図２１】
2009189450.tif 000033
【手続補正１３】
【補正対象書類名】図面
【補正対象項目名】図２２
【補正方法】変更
【補正の内容】
【図２２】
2009189450.tif 000034
【手続補正書】
【提出日】平成21年2月6日(2009.2.6)
【手続補正１】
【補正対象書類名】明細書
【補正対象項目名】０００３
【補正方法】変更
【補正の内容】
【０００３】
上記スナップテープとしては、例えば、テープ本体の一面に所要の間隔を保って環を起伏自在に付設したテープにおいて、前記環はプラスチックの成型品としてこれにテープ本体の環取付部への取付用嵌合体を備え、テープ本体に形成した環取付部はテープ本体に成型により付設した、雄嵌合体に対応するプラスチック成形の雌嵌合体とし、両嵌合体には嵌合面に、強制離脱可能の係合機構を備えたことを特徴とするカーテン類引き上げ用補助テープ（例えば、特許文献１参照。）が公知である。
【手続補正２】
【補正対象書類名】明細書
【補正対象項目名】００２９
【補正方法】変更
【補正の内容】
【００２９】
更に、本発明は、上記したガイド環付きテープにおける基体貫通穴と係合する雄係合子を備えたスナップボタンをカーテン生地に取着し、ガイド環付きテープのガイド環に引紐を通したガイド環付きテープの基体貫通穴とスナップボタンの雄係合子が着脱可能として設けられてなるカーテンとしたことで、カーテン生地を洗濯する際に、スナップテープのテープ基材若しくはカーテン生地とガイド環付きテープのテープ基材を指で摘んで引き離すだけで、カーテン生地に取付けられたスナップボタンの雄係合子と、ガイド環付きテープの基体貫通穴とを離脱でき、非常に簡単な操作でカーテン生地の取り外しを行うことができ、洗濯後においては、カーテン生地の取付けを行う際には、当該ガイド環付きテープのガイド環がテープ基材に固着されているため、引紐に沿って引紐の最下端まで落下することがなく、常にガイド環付きテープの状態で保持されていることから、一箇所のカーテンに取付けられたスナップテープの雄係合子とガイド環付きテープの基体貫通穴を係着すると、他の箇所のスナップテープの雄係合子とガイド環付きテープの基体貫通穴が重なる（対応する）位置に位置決めされ、簡単に係着することができる利点を有するカーテンと、ガイド環付きテープのカーテン生地に対する取付構造を実現した。
【手続補正３】
【補正対象書類名】明細書
【補正対象項目名】００３０
【補正方法】変更
【補正の内容】
【００３０】
図１は本発明の実施例１に係るカーテンにおけるカーテン生地とガイド環付きテープを（１）係着する前の状態を示す斜視図、（２）係着後の状態を示す斜視図、図２は同実施例１に係るガイド環付きテープを示す（１）正面図、（２）背面図、図３は同実施例１に係るガイド環付きテープを示す（１）平面図、（２）右側面図（左側面図は対称につき省略）、図４は図２（１）における（１）Ａ−Ａ断面図及び（２）Ｂ−Ｂ断面図、図５は本発明の実施例１に係るガイド環付きテープにおけるガイド環体を示す（１）拡大正面図、（２）拡大背面図、図６は同実施例１に係るガイド環付きテープにおけるガイド環体を示す（１）拡大平面図、（２）拡大右側面図、図７は図５（１）における（１）Ｃ−Ｃ断面図、（２）Ｄ−Ｄ断面図である。
図８は本発明の実施例２に係るカーテン、及びガイド環付きテープを用いたカーテン生地に対する取付構造を示す（１）係着する前の状態を示す斜視図、（２）係着後の状態を示す斜視図、図９は本発明の実施例２に係るカーテン、及び、ガイド環付きテープのカーテン生地に対する取付構造を有するカーテンの裏面を表した説明図、図１０は同実施例２に係るカーテン、及び、ガイド環付きテープのカーテン生地に対する取付構造を示す一部拡大断面図である。
図１１は実施例２に係るカーテンのガイド環付きテープとスナップテープとを係着した状態を示す（１）正面図、（２）背面図、図１２は同実施例２に係るガイド環付きテープとスナップテープとを係着した状態を示す（１）平面図（底面図は平面図と対称につき省略。）（２）右側面図（左側面図は右側面図と対称につき省略。）、図１３は本発明の実施例２に係るガイド環付きテープとスナップテープとを係着した状態を示す図１１（１）における（１）Ｅ−Ｅ断面図、（２）Ｆ−Ｆ断面図、図１４は同実施例２に係るガイド環付きテープを示す（１）正面図、（２）背面図、図１５は同実施例２に係るガイド環付きテープを示す（１）平面図（底面図は平面図と対称につき省略。）、及び（２）右側面図（左側面図は右側面図と対称につき省略。）、図１６は本発明の実施例２に係るガイド環付きテープを示す図１４（１）における（１）Ｇ−Ｇ断面図、（２）Ｈ−Ｈ断面図、図１７は本発明の実施例２に係るガイド環付きテープのガイド環体とスナップテープのスナップボタンを係着した状態を示す（１）拡大正面図、（２）拡大背面図、図１８は本発明の実施例２に係るガイド環付きテープのガイド環体とスナップテープのスナップボタンを係着した状態を示す（１）拡大平面図（拡大底面図は拡大平面図と対称につき省略。）（２）拡大右側面図（拡大左側面図は拡大右側面図と対称につき省略。）、図１９は本発明の実施例２に係るガイド環付きテープのガイド環体とスナップテープのスナップボタンを係着した状態を示す図１７（１）における（１）拡大Ｊ−Ｊ断面図、（２）拡大Ｋ−Ｋ断面図である。
図２０は本発明の実施例２に係るスナップテープにおけるスナップボタンを示す（１）拡大正面図、（２）拡大背面図、図２１は同実施例２に係るスナップテープにおけるスナップボタンを示す（１）拡大平面図（拡大底面図は拡大平面図と対称につき省略。）、（２）拡大右側面図（拡大左側面図は拡大右側面図と対称につき省略。）、図２２は同実施例２に係るスナップテープにおけるスナップボタンを示す図２０（１）における（１）拡大Ｌ−Ｌ断面図、（２）拡大Ｍ−Ｍ断面図である。
図２３は本発明の実施例３に係るカーテン、及び、ガイド環付きテープのカーテン生地に対する取付構造であって、ガイド環付きテープとカーテン側のスナップとを（１）係着する前の状態を示す斜視図、（２）係着後の状態を示す斜視図である。
【手続補正４】
【補正対象書類名】明細書
【補正対象項目名】００３３
【補正方法】変更
【補正の内容】
【００３３】
以下、各実施例について順次説明する。尚、本発明の対象とするカーテンは、引紐を有するカーテンであれば、特にローマンシェードカーテン以外のカーテンであってもよい。また、説明上、符号について、数字の後にａの文字を付記した符号はガイド環付きテープ１ａに関するものとし、数字の後にｂの文字を付した符号はスナップテープ１ｂ若しくはカーテン側に取着されたスナップボタン１０ｂに関するものとしている。
【手続補正５】
【補正対象書類名】明細書
【補正対象項目名】００３５
【補正方法】変更
【補正の内容】
【００３５】
本発明の実施例１に係るガイド環付きテープは、テープ基材１５ａ上にガイド環体１０ａを列設した構成を有する。具体的には、無色透明の耐熱性合成繊維のメッシュシートからなる長尺のテープ基材１５ａに１０ｃｍ間隔で、貫通穴である位置決め穴１５０を形成し、テープ基材１５ａの表裏面における前記位置決め穴の周縁に表裏夫々６本の固定ピンを用いて図示されないスナップ成型用金型を固定し、該スナップ成型用金型内において射出成形を行うことでガイド環体１０ａを形成する。この際に、耐熱性合成繊維で形成されるテープ基材１５ａの細かいメッシュシートの目の中にガイド環体１０ａを形成する溶融した樹脂が入り込み、テープ基材１５ａに対して強固に当該ガイド環体１０ａが固着形成されてなる。
【手続補正６】
【補正対象書類名】明細書
【補正対象項目名】００４６
【補正方法】変更
【補正の内容】
【００４６】
即ち、本実施例２におけるスナップボタン１０ｂの雄係合子１４の高さｈとガイド環体１０ａのスナップボタン基体１１ａの厚さ寸法ｄ（図１９（１）参照。）を同一とし且つ雄係合子１４が基体貫通穴１２に嵌り込んだ状態で係止する構成である。このため、スナップテープ１ｂのスナップボタン１０ｂとガイド環付きテープ１ａのガイド環体１０ａにおけるスナップボタン基体１１ａとを係合させると、スナップボタン１０ｂの雄係合子１４の上端はガイド環体１０ａのスナップボタン基体１１ａの上端と同一平面上（所謂面一）に配置される。当該構成によってガイド環体１０ａに通した引紐は、雄係合子の干渉を受けず、引紐２に対するガイド環体１０ａの円滑なガイド機能を確保することができる。
【手続補正７】
【補正対象書類名】明細書
【補正対象項目名】００５６
【補正方法】変更
【補正の内容】
【００５６】
【図１】本発明の実施例１に係るカーテンにおけるカーテン生地とガイド環付きテープを（１）係着する前の状態を示す斜視図、（２）係着後の状態を示す斜視図である。
【図２】本発明の実施例１に係るガイド環付きテープを示す（１）正面図、（２）背面図である。
【図３】本発明の実施例１に係るガイド環付きテープを示す（１）平面図、（２）右側面図である。
【図４】本発明の実施例１に係るガイド環付きテープを示す図２（１）におけるＡ−Ａ断面図及びＢ−Ｂ断面図である。
【図５】本発明の実施例１に係るガイド環付きテープにおけるガイド環体を示す（１）拡大正面図、（２）拡大背面図である。
【図６】本発明の実施例１に係るガイド環付きテープにおけるガイド環体を示す（１）拡大平面図、（２）拡大右側面図である。
【図７】本発明の実施例１に係るガイド環付きテープにおけるガイド環体を示す図５（１）における（１）Ｃ−Ｃ断面図、（２）Ｄ−Ｄ断面図である。
【図８】本発明の実施例２に係るカーテン、及びガイド環付きテープを用いたカーテン生地に対する取付構造を示す（１）係着する前の状態を示す斜視図、（２）係着後の状態を示す斜視図である。
【図９】本発明の実施例２に係るカーテン、及び、ガイド環付きテープのカーテン生地に対する取付構造を有するカーテンの裏面を表した説明図である。
【図１０】本発明の実施例２に係るカーテン、及び、ガイド環付きテープのカーテン生地に対する取付構造を示す一部拡大断面図である。
【図１１】本発明の実施例２に係るカーテンのガイド環付きテープとスナップテープとを係着した状態を示す（１）正面図、（２）背面図である。
【図１２】本発明の実施例２に係るガイド環付きテープとスナップテープとを係着した状態を示す（１）平面図（底面図は平面図と対称につき省略。）（２）右側面図（左側面図は右側面図と対称につき省略。）である。
【図１３】本発明の実施例２に係るガイド環付きテープとスナップテープとを係着した状態を示す図１１（１）における（１）Ｅ−Ｅ断面図、（２）Ｆ−Ｆ断面図である。
【図１４】本発明の実施例２に係るガイド環付きテープを示す（１）正面図、（２）背面図である。
【図１５】本発明の実施例２に係るガイド環付きテープを示す（１）平面図（底面図は平面図と対称につき省略。）、及び（２）右側面図（左側面図は右側面図と対称につき省略。）である。
【図１６】本発明の実施例２に係るガイド環付きテープを示す図１４（１）における（１）Ｇ−Ｇ断面図、（２）Ｈ−Ｈ断面図である。
【図１７】本発明の実施例２に係るガイド環付きテープのガイド環体とスナップテープのスナップボタンを係着した状態を示す（１）拡大正面図、（２）拡大背面図である。
【図１８】本発明の実施例２に係るガイド環付きテープのガイド環体とスナップテープのスナップボタンを係着した状態を示す（１）拡大平面図（拡大底面図は拡大平面図と対称につき省略。）（２）拡大右側面図（拡大左側面図は拡大右側面図と対称につき省略。）である。
【図１９】本発明の実施例２に係るガイド環付きテープのガイド環体とスナップテープのスナップボタンを係着した状態を示す図１７（１）における（１）拡大Ｊ−Ｊ断面図、（２）拡大Ｋ−Ｋ断面図である。
【図２０】本発明の実施例２に係るスナップテープにおけるスナップボタンを示す（１）拡大正面図、（２）拡大背面図である。
【図２１】本発明の実施例２に係るスナップテープにおけるスナップボタンを示す（１）拡大平面図（拡大底面図は拡大平面図と対称につき省略。）、（２）拡大右側面図（拡大左側面図は拡大右側面図と対称につき省略。）である。
【図２２】本発明の実施例２に係るスナップボタンを示す図２０（１）における（１）拡大Ｌ−Ｌ断面図、（２）拡大Ｍ−Ｍ断面図である。
【図２３】本発明の実施例３に係るカーテン、及び、ガイド環付きテープのカーテン生地に対する取付構造であって、ガイド環付きテープとカーテン側のスナップとを（１）係着する前の状態を示す斜視図、（２）係着後の状態を示す斜視図である。
【手続補正８】
【補正対象書類名】明細書
【補正対象項目名】００５７
【補正方法】変更
【補正の内容】
【００５７】
１ａ        ガイド環付きテープ
１ｂ        スナップテープ
１０ａ      ガイド環体
１０ｂ      スナップボタン
１１ａ      基体
１１ｂ      スナップボタン基体
１２        基体貫通穴
１２０      係合段部
１３        ガイド環
１３０      橋部
１３１      脚部
１４        雄係合子
１４０      拡径頭部
１４１      基部
１５ａ      テープ基材
１５０      位置決め穴
１５ｂ      テープ基材
２          引紐
３          カーテン
３０        カーテン生地
４          ガイドローラ
５          引き手
ｄ 厚さ寸法（基体の厚み）
ｈ 高さ（雄係合子の高さ）
【手続補正９】
【補正対象書類名】図面
【補正対象項目名】図１
【補正方法】変更
【補正の内容】
【図１】
2009189450.tif 000035
【手続補正１０】
【補正対象書類名】図面
【補正対象項目名】図４
【補正方法】変更
【補正の内容】
【図４】
2009189450.tif 000036
【手続補正１１】
【補正対象書類名】図面
【補正対象項目名】図６
【補正方法】変更
【補正の内容】
【図６】
2009189450.tif 000037
【手続補正１２】
【補正対象書類名】図面
【補正対象項目名】図７
【補正方法】変更
【補正の内容】
【図７】
2009189450.tif 000038
【手続補正１３】
【補正対象書類名】図面
【補正対象項目名】図１０
【補正方法】変更
【補正の内容】
【図１０】
2009189450.tif 000039
【手続補正１４】
【補正対象書類名】図面
【補正対象項目名】図１３
【補正方法】変更
【補正の内容】
【図１３】
2009189450.tif 000040
【手続補正１５】
【補正対象書類名】図面
【補正対象項目名】図１６
【補正方法】変更
【補正の内容】
【図１６】
2009189450.tif 000041
【手続補正１６】
【補正対象書類名】図面
【補正対象項目名】図１９
【補正方法】変更
【補正の内容】
【図１９】
2009189450.tif 000042
【手続補正１７】
【補正対象書類名】図面
【補正対象項目名】図２１
【補正方法】変更
【補正の内容】
【図２１】
2009189450.tif 000043
【手続補正１８】
【補正対象書類名】図面
【補正対象項目名】図２２
【補正方法】変更
【補正の内容】
【図２２】
2009189450.tif 000044